(57)【要約】      （修正有）【課題】小さく折り畳んで収納用袋内に収納でき、携帯性に優れ、貴重品の盗難防止機能や雨除けの機能も備えているリュックサックを提供する。【解決手段】リュックサック本体１内に、折り畳まれたリュックサック本体を収納することができる大きさの収納用袋２が設けられており、収納用袋は、リュックサック本体の肩ベルト９側の胴裏部位１ａに配置されており、収納用袋の開口２ｂを遮蔽するように、肩ベルト側とは反対側に位置する収納用袋の内装材２ａが延出してリュックサック本体の肩ベルト側の胴裏部位に接続されている。【選択図】図３
0003199907.tif 000002
【実用新案登録請求の範囲】
【請求項１】
リュックサック本体と収納用袋とからなるリュックサックであって、
上記リュックサック本体内に、折り畳まれた上記リュックサック本体を収納することができる大きさの上記収納用袋が設けられており、
上記収納用袋は、上記リュックサック本体の肩ベルト側の胴裏部位に配置されており、
上記収納用袋の開口を遮蔽するように、上記収納用袋の肩ベルト側の内装材とは反対側の内装材が延出して上記リュックサック本体の肩ベルト側の胴裏部位に接続されていることを特徴とする、リュックサック。
【請求項２】
上記収納用袋の一側面に、上記収納用袋を外部部材に引っ掛けるための係着部材が設けられていることを特徴とする請求項１に記載のリュックサック。
【考案の詳細な説明】
【技術分野】
【０００１】
本考案は、リュックサックに関し、詳しくは、リュックサック本体内に設けられた収納用袋に、該リュックサック本体を折り畳んで収納することができるリュックサックに関する。
【背景技術】
【０００２】
リュックサックは、背負って使用する際に両手が自由になるという利点があることから旅行や日常生活でよく利用されている。リュックサックはまた、ハイキングにおいて財布やカメラを入れて行動するのに重宝する。
【先行技術文献】
【特許文献】
【０００３】
【特許文献１】特開２０１３−９４５１４号公報
【考案の概要】
【考案が解決しようとする課題】
【０００４】
しかし、背負ったリュックサックの中から貴重品が盗まれることを心配して、リュックサックの使用を控える人もいる。
【０００５】
また、リュックサックを旅行に持っていく場合、リュックサックを適切な寸法の小袋に収納してからキャリーケースやスーツケースに収納できれば良いが、小さく折り畳まれたリュックサックを収納するのに適切な寸法の小袋が該リュックサックに一体化されているものが、これまでにはなかった。
【０００６】
そこで本考案は、小さく折り畳んで収納用袋に収納できる携帯性に優れたリュックサックであって、雨除け用のキャップとしても使用することができる収納用袋を備えたリュックサックを提供することを目的とする。
【０００７】
また、リュックサック内から貴重品を抜き取られるリスクを心配する人がいることに対処して、上記の収納用袋を、盗難防止機能を有する貴重品の収納袋として利用できるようにする。
【課題を解決するための手段】
【０００８】
本考案に係るリュックサックは、リュックサック本体と収納用袋とからなるリュックサックであって、リュックサック本体内に、折り畳まれた該リュックサック本体を収納することができる大きさの収納用袋が設けられており、収納用袋は、リュックサック本体の肩ベルト側の胴裏部位に配置されており、収納用袋の開口を遮蔽するように、収納用袋の肩ベルト側の内装材とは反対側の内装材が延出してリュックサック本体の肩ベルト側の胴裏部位に接続されていることを特徴とする。
【０００９】
また、収納用袋の一側面に、該収納用袋を外部部材に引っ掛けるための係着部材が設けられていることを特徴とする。
【考案の効果】
【００１０】
本考案のリュックサックによれば、折り畳まれたリュックサック本体をコンパクトに収納することができる収納用袋を該リュックサック本体内に備えているので、収納用袋を紛失してしまうことが少ない。
【００１１】
一実施例においては、収納用袋の一側面に設けられたカラビナやフック（係着部材）を使って、キャリーケースやスーツケースの外側にあるキャリーバー（外部部材）に、リュックサック本体を収納した収納用袋を引っ掛けることにより、キャリーケースやスーツケース内の収納スーペースの一部を占めることがない。
【図面の簡単な説明】
【００１２】
【図１】本考案に係るリュックサックの一例を示す正面図。
【図２】図１のリュックサックの背面図。
【図３】図１のリュックサックの側面図。
【図４】リュックサック内に設けられた収納用袋を示す図。
【図５】リュックサックの開口から収納用袋が取り出された状態を示す図。
【図６】リュックサック本体を収納した収納用袋を示す図。
【図７】収納用袋にリュックサック本体を収納する過程を概略的に示す図。
【図８】リュックサックの他の使用例を示す図。
【図９】収納用袋がキャリーケースに係着された状態を示す図。
【考案を実施するための形態】
【００１３】
本考案のリュックサックの実施例について図面を参照しつつ以下に説明する。
【００１４】
本考案のリュックサックは、リュックサック本体１内に設けられた収納用袋２（図１〜図３参照）に、小さく折り畳んだリュックサック本体１を収納することができる。収納用袋２にリュックサック本体１を収納しようとする際には、図５に示されるように、先にリュックサック本体１内から収納用袋２を取り出す必要がある。
【００１５】
なお、図１〜図３において、符号３は、荷物を入れる開口４を開閉するためのスライドファスナ（ジッパ）、符号５は開口蓋、符号６はポケット、符号７は、ポケット６の開口を開閉するためのスライドファスナ、符号８は手提げベルト、符号９は肩ベルトを示している。
【００１６】
収納用袋２は、リュックサック本体１の肩ベルト９側の胴裏部位１ａに配置されており、図４及び図５に示されているように、収納用袋２の内装材２ａが、該収納用袋２の開口２ｂを遮蔽するように延出してリュックサック本体１の胴裏部位１ａに接続されている。この構成を有することで、収容用袋２がリュックサック本体１内にあるときに、該収納用袋２の内部へ手を入れることが難しい。
【００１７】
図４は、リュックサック内に設けられた収納用袋２を示している。図４（ａ）は、開口蓋５を開けた状態のリュックサック本体１の平面図であり、図４（ｂ）は側面図である。
【００１８】
図５は、リュックサックの開口から収納用袋２が取り出された状態を示している。図５（ａ）は、開口蓋５を開いて収納用袋２が取り出された状態のリュックサック本体１の平面図であり、図５（ｂ）は側面図である。特に図５（ｂ）に示されているように、収納用袋２の開口２ｂを遮蔽するように収納用袋２の肩ベルト９側の内装材とは反対側の内装材２ａが延出してリュックサック本体１の肩ベルト９側の胴裏部位１ａに接続されている（図８（ａ）も参照されたい）。
【００１９】
このように収納用袋２の開口２ｂが内装材２ａによって遮蔽されているため、スリなどが窃盗目的でリュックサック本体内へ手を入れたとしても、内装材２ａに遮られて収納用袋２の内部へ手を入れにくいので、収納用袋２に健康保険証やパスポートなどの貴重品を収納しておくことで盗難の被害を防ぐことができる。
【００２０】
また、図５には、収納用袋２の開口２ｂを開閉するためのスライドファスナ２ｃ、収納用袋２をキャリーケースのキャリーバーに引っ掛けるためのカラビナ２ｄ（係着手段）も示されている。カラビナ２ｄは、リュックサック本体を収納している際の収納用袋２の一側面に、着脱自在に設けられている場合もある。
【００２１】
図６は、折り畳まれたリュックサック本体１を収納している収納用袋２を示している。図６（ａ）は、収納用袋２の正面図であり、図６（ｂ）は、収納用袋２の平面図である。
【００２２】
収納用袋２にリュックサック本体１を収納する過程について、図７を参照しつつ以下に説明する。最初に、図７（ａ）及び図７（ｂ）に示されるように、リュックサック本体１のスライドファスナ３を開いて、リュックサック本体１の開口４から収納用袋２を取り出す。続いて、図７（ｃ）〜図７（ｆ）に示されるように、リュックサック本体１を折り畳み、収納用袋２の開口２ｂを通して収容用袋２内へ入れる。そして、図７（ｇ）に示されるように、収納用袋２のスライドファスナ２ｃを閉めることによって収納用袋２の開口２ｂを閉じることができる。
【００２３】
図８は、収納用袋２を雨除け用のキャップとして利用する一実施例を示している。この実施例においては、収納用袋２の内側に雨除けシート２ｅが設けられている。最初に、図８（ａ）に示されるように、リュックサック本体１の開口から外部へ収納用袋２を取り出し、図８（ｂ）に示されるように、収納用袋２の表と裏を反転させる。続いて、図８（ｃ）に示されるように、雨除けシート２ｅの一端に設けられた係着部材２ｆ（例えば、面ファスナ）による内装材２ａとの係着を解除して雨除けシート２ｅを垂らす。すると、図８（ｄ）に示されるように、表と裏を反転させた収納用袋２を雨除け用のキャップとして使用するとともに、首筋等が濡れるのを防ぐために雨除けシート２ｅを使用することができる。この実施例においては、リュックサック本体の生地に防水加工が施されているとよい。
【００２４】
他の実施例においては、リュックサック本体１内にある収納用袋２は、リュックサック本体１の胴裏部位１ａに、面ファスナやホックなどの着脱自在手段を使って着脱自在に固定されている場合もある。
【００２５】
図９は、折り畳まれたリュックサック本体１を収納している収納用袋２がキャリーケース１０のキャリーバー１０ａに係着された状態を示している。収納用袋２は、カラビナ２ｄなどの係着部材を使ってキャリーケース１０のキャリーバー１０ａに引っ掛けることにより、キャリーケース１０に係着させることができる。
【符号の説明】
【００２６】
１…リュックサック本体
１ａ…胴裏部位
２…収納用袋
２ａ…内装材
２ｂ…開口
２ｃ…スライドファスナ
２ｄ…カラビナ
２ｅ…雨除けシート
２ｆ…係着部材
３…スライドファスナ
４…開口
５…開口蓋
６…ポケット
７…スライドファスナ
８…手提げベルト
９…肩ベルト
１０…キャリーケース
１０ａ…キャリーバー
【図１】
0003199907.tif 000003
【図２】
0003199907.tif 000004
【図３】
0003199907.tif 000005
【図４】
0003199907.tif 000006
【図５】
0003199907.tif 000007
【図６】
0003199907.tif 000008
【図７】
0003199907.tif 000009
【図８】
0003199907.tif 000010
【図９】
0003199907.tif 000011